(57)【要約】【課題】本発明は、電気掃除機の吸口体を横方向に長く延ばしたり、短く縮めたりする操作がし易い電気掃除機の吸口体、および電気掃除機を提供することを目的とする。【解決手段】本発明は、被清掃面との対向面に設ける吸込開口部が左右方向に延在する横長の第１吸込口本体と、前記被清掃面との対向面に設ける吸込開口部が左右方向に延在する横長の第２吸込口本体を有する電気掃除機の吸口体において、前記第１吸込口本体の長手方向端部に延ばした状態で備えられる前記第２吸込口本体は、長さが第１吸込口本体よりも短く、前記第２吸込口本体が前記第１吸込口本体に対して折り畳みや元の延ばした状態に戻しができるように回動自在に支持されていることを特徴とする。【選択図】図１
2010124845.tif 000002
【特許請求の範囲】
【請求項１】
被清掃面との対向面に設ける吸込開口部が左右方向に延在する横長の第１吸込口本体と、前記被清掃面との対向面に設ける吸込開口部が左右方向に延在する横長の第２吸込口本体を有する電気掃除機の吸口体において、
前記第１吸込口本体の長手方向端部に延ばした状態で備えられる前記第２吸込口本体は、長さが第１吸込口本体よりも短く、
前記第２吸込口本体が前記第１吸込口本体に対して折り畳みや元の延ばした状態に戻しができるように回動自在に支持されていることを特徴とする電気掃除機の吸口体。
【請求項２】
被清掃面との対向面に設ける吸込開口部が左右方向に延在する横長の第１吸込口本体と、前記被清掃面との対向面に設ける吸込開口部が左右方向に延在する横長の第２吸込口本体が組になっている電気掃除機の吸口体において、
前記第１吸込口本体の長手方向端部に延ばした状態で備えられる前記第２吸込口本体は、長さが第１吸込口本体よりも短く、
前記第２吸込口本体を前記第１吸込口本体に着脱結合する着脱結合手段を有することを特徴とする電気掃除機の吸口体。
【請求項３】
請求項１または２に記載された電気掃除機の吸口体において、
前記第１吸込口本体と前記第２吸込口本体は、それぞれの内部に回転自在なる円柱状の回転清掃体を回転軸方向が前記第１吸込口本体、および前記第２吸込口本体の長手方向に沿うようにして備え、
前記円柱状の回転清掃体は前記吸込開口部に先端を臨ませる刷毛、ブレードを含む掻き部材を外周に有することを特徴とする電気掃除機の吸口体。
【請求項４】
請求項３に記載された電気掃除機の吸口体において、
前記第１吸込口本体、または／および前記第２吸込口本体は、前記円柱状の回転清掃体を駆動するところの電動機を含む回転清掃体用駆動手段を備えることを特徴とする電気掃除機の吸口体。
【請求項５】
請求項１に記載された電気掃除機の吸口体において、
前記第２吸込口本体は、前記第１吸込口本体の後側に折り畳まれることを特徴とする電気掃除機の吸口体。
【請求項６】
被清掃面との対向面に設ける吸込開口部が左右方向に延在する横長の第１吸込口本体と、前記被清掃面との対向面に設ける吸込開口部をもつ第２吸込口本体を有する電気掃除機の吸口体において、
前記第１吸込口本体は、内部に回転自在なる円柱状の回転清掃体を回転軸方向が第１吸込口本体の長手方向に沿うようにして備え、
前記円柱状の回転清掃体は前記吸込開口部に先端を臨ませる刷毛、ブレードを含む掻き部材を外周に有し、
前記第１吸込口本体の長手方向端部に備えられ、長さが第１吸込口本体よりも短い前記第２吸込口本体には、円盤状の回転清掃体が回転軸心方向を前記被清掃面に向くように備えられ、
前記円盤状の回転清掃体は、前記被清掃面に向く下面側に刷毛、ブレードを含む掻き部材を有することを特徴とる電気掃除機の吸口体。
【請求項７】
請求項６に記載された電気掃除機の吸口体において、
前記第２吸込口本体が前記第１吸込口本体に対して折り畳みや延ばした状態に戻しができるように回動自在に支持されていることを特徴とする電気掃除機の吸口体。
【請求項８】
請求項７に記載された電気掃除機の吸口体において、
前記第２吸込口本体は、前記第１吸込口本体の後側に折り畳まれることを特徴とする電気掃除機の吸口体。
【請求項９】
被清掃面との対向面に設ける吸込開口部が左右方向に延在する横長の第１吸込口本体と、前記被清掃面と直交する壁面等を含む直交壁面との対向面に設ける端面側吸込開口部をもつ第２吸込口本体を有する電気掃除機の吸口体において、
前記第１吸込口本体は、内部に回転自在なる円柱状の回転清掃体を回転軸方向が第１吸込口本体の長手方向に沿うようにして備え、
前記円柱状の回転清掃体は前記吸込開口部に先端を臨ませる刷毛、ブレードを含む掻き部材を外周に有し、
前記第１吸込口本体の長手方向端部に備えられ、長さが第１吸込口本体よりも短い前記第２吸込口本体には、円盤状の回転清掃体が回転軸心方向を前記直交壁面に向くように備えられ、
前記円盤状の回転清掃体は、前記直交壁面に向く面側に刷毛、ブレードを含む掻き部材を有することを特徴とる電気掃除機の吸口体。
【請求項１０】
請求項９に記載された電気掃除機の吸口体において、
前記第２吸込口本体が前記第１吸込口本体に対して折り畳みや延ばした状態に戻しができるように回動自在に支持されていることを特徴とする電気掃除機の吸口体。
【請求項１１】
請求項１０に記載された電気掃除機の吸口体において、
前記第２吸込口本体は、前記第１吸込口本体の後側に折り畳まれることを特徴とする電気掃除機の吸口体。
【請求項１２】
電動送風機および集塵部を備える掃除機本体と、前記掃除機本体の吸い込み力により被清掃面に存在する塵埃を吸い込む吸口体と、前記掃除機本体と前記吸口体を連通する延長管、手元操作部、およびホースを有する電気掃除機において、
前記吸口体は、被清掃面との対向面に設ける吸込開口部が左右方向に延在する横長の第１吸込口本体と、前記被清掃面との対向面に設ける吸込開口部が左右方向に延在する横長の第２吸込口本体を有し、
前記第１吸込口本体の長手方向端部に延ばした状態で備えられる前記第２吸込口本体は、長さが第１吸込口本体よりも短く、
前記第２吸込口本体が前記第１吸込口本体に対して折り畳みや元の延ばした状態に戻しができるように回動自在に支持されていることを特徴とする電気掃除機。
【請求項１３】
請求項１２記載の電気掃除機において、
前記折り畳みや元の延ばした状態に戻しを遠隔操作で行うことを特徴とする電気掃除機。
【請求項１４】
請求項１３記載の電気掃除機において、
前記遠隔操作で行う遠隔操作手段を前記手元操作部に設けたことを特徴とする電気掃除機。
【発明の詳細な説明】
【技術分野】
【０００１】
本発明は、被掃除面の塵埃を吸塵する電気掃除機の吸口体、および電気掃除機の改良に関する。
【背景技術】
【０００２】
従来の電気掃除機の吸口体として、例えば特許文献１（実開昭６０−１２６１５５号公報）がある。吸口体の両端側に、スライド方式の可変吸込口を取り付け、吸口幅を長く、可変する構成とした吸口体が提案されている。
【０００３】
また、特許文献２（特許２００１−３４６７２８号公報）には、幅広ヘッドを中心から内側に折りたたみ可能な構成としたものが提案されている。
【０００４】
また、特許文献３（特許２００５−１２４９７７号公報）には、吸込口を構成する第１の開口部をベースとし、前記ベースから離れる方向にスライド移動可能な第２の開口部を有し、前記第１の開口部と連通すると共に、第１および第２の開口部内に回転ブラシをそれぞれ備え、前記第２の開口部の移動に合わせて第２の回転ブラシがスライドするように第１の回転ブラシに係合するように構成したものが提案されている。
【０００５】
【特許文献１】実開昭６０−１２６１５５号公報
【特許文献２】特許２００１−３４６７２８号公報
【特許文献３】特許２００５−１２４９７７号公報
【発明の開示】
【発明が解決しようとする課題】
【０００６】
特許文献１では、本体吸込口の端部に可変吸込口を設け、可変用ノブと連動して可変吸込口を移動することによって吸口幅の長さを適宜調節することができる。しかしながら、本体吸込口の内部（塵埃搬送部）を可変吸込口がスライドしながら伸縮するために、微細な塵埃がそのスライド部に侵入してしまい、伸縮の動きを妨げる問題やケース表面に傷が付きやすく、汚れが目立ついという問題がある。
【０００７】
また、本体吸込口及び可変吸込口は空気の吸引だけでごみを取る方式としているので、掃除面の拭き効果やかき上げによる集塵性能の向上が期待できないと考えられる。
【０００８】
特許文献２では、広い場所を掃除する場合は幅広ヘッドを伸展した状態で使用し、隙間等を掃除する場合は幅広ヘッドを中心から折りたたむことによりノズル状に変形して使用できる構成になっている。しかしながら、幅広ヘッドを伸展した状態で掃除をすると、ヘッド中央部に床面から吸引する流路が形成されてないために、ごみの吸い残しが発生するという問題がある。
【０００９】
特許文献３では、特許文献１と同様に開口部がスライド移動可変する構造であり、第１の開口部と第２の開口部の嵌合部分にごみが蓄積してスライドを阻害する問題がある。さらに回転ブラシもスライド移動可変となっている。
【００１０】
回転ブラシはごみをかき上げる手段であるので、第１の回転ブラシと第２の回転ブラシの係合部分に微細な塵埃が一層付着しやすくなる。したがって、スライド移動を損なう心配がより一層高まる。また、髪の毛や糸くずなどが回転ブラシに巻きついてしまうと、回転ブラシのスライドが不可能となる問題が発生する。
【００１１】
本発明は、上記の問題に鑑み、電気掃除機の吸口体を横方向に長く延ばしたり、短く縮めたりする操作がし易い電気掃除機の吸口体、および電気掃除機を提供することを目的とする。
【課題を解決するための手段】
【００１２】
本発明は、被清掃面との対向面に設ける吸込開口部が左右方向に延在する横長の第１吸込口本体と、前記被清掃面との対向面に設ける吸込開口部が左右方向に延在する横長の第２吸込口本体を有する電気掃除機の吸口体において、前記第１吸込口本体の長手方向端部に延ばした状態で備えられる前記第２吸込口本体は、長さが第１吸込口本体よりも短く、前記第２吸込口本体が前記第１吸込口本体に対して折り畳みや元の延ばした状態に戻しができるように回動自在に支持されていることを特徴とする。
【発明の効果】
【００１３】
本発明によれば、第２吸込口本体の折り畳みや元の延ばした状態に戻しが回動によりできるので、スライドにより吸口体を延ばしたり、短く縮めたりするものと違って塵埃を噛み込み生じ難く、折り畳みや元の延ばした状態に戻したりする操作がし易い電気掃除機の吸口体、および電気掃除機を提供できる。
【発明を実施するための最良の形態】
【００１４】
以下、本発明に係る実施例を添付の図面を用いて説明する。
【実施例１】
【００１５】
本発明に係る電気掃除機の吸口体、及び電気掃除機の構成を図１から図３を用いて説明する。
【００１６】
図１は本発明の一実施例に係る吸口体２０６の上面図であり、図２は吸口本体の下面図であり、図３は本実施例の吸口体２０６を備える電気掃除機の外観斜視図である。
【００１７】
本実施例では、使用者から見て、使用者が手元操作部２０３を握って吸口体２０６を押す方向を前側（前方）、吸口体２０６を使用者側へ引き寄せる方向を後側（後方）と定義する。
【００１８】
また、吸口体２０６は左右方向に長く延びる横長の形状をしている。左右に延びる方向を長手方向と呼ぶ。
【００１９】
図１、図２において、１５０は第１吸込口本体、１５１は第２吸込口本体、両者を合わせて吸口体２０６を構成している。１００は第１吸込口本体１５０の上部外郭を構成する上ケース、１０１は第１吸込口本体１５０の下部外郭を構成する下ケースであり、上ケース１００及び下ケース１０１で第１吸込口本体１５０を形成している。
【００２０】
１１０は第２吸込口本体１５１の上部外郭を構成する上ケース、１１１は第２吸込口本体１５１の下部外郭を構成する下ケースであり、上ケース１１０及び下ケース１１１で第２吸込口本体１５１を形成している。第２吸込口本体１５１は、吸口体１５０の長手方向両端部に配置され、第２吸込口本体１５１から張り出した腕部１１３とで連結されている。
【００２１】
第２吸込口本体１５１には、第１吸込口本体の上ケース１００の端部付近上面側に設けた支持部１００ａと第２吸込口本体１５１から張り出した腕部１１３の支持部１０１ａを回動軸とし、連結ピン１１４を結合することにより、第１吸込口本体１５０と第２吸込口本体１５１との連結を行っている。
【００２２】
図１に示す矢印のように、腕部１１３の支持部１０１ａを支点として回動にすることより、第２吸込口本体１５１を折りたたんで吸口体左右方向（吸口幅）の長さを短くしたり、広げて長くすることが可能となる。
【００２３】
第１吸込口本体１５０の長手方向端部に延ばした状態で備えられる第２吸込口本体１５１は長さが第１吸込口本体１５０よりも短かい。第２吸込口本体１５１が第１吸込口本体１５０に対して折り畳んだり、元の延ばした状態に戻したりすることが回動により行われる。
【００２４】
第２吸込口本体１５１が第１吸込口本体１５０に対して元の延ばした状態することにより、吸口体２０６は横方向に長い大きな吸い口になるので、広い被掃除面の掃除ができる。逆に第２吸込口本体１５１が第１吸込口本体１５０の後側に折り畳まれることで、吸口体２０６は横方向の長さが短い小さな吸い口になるので、狭い被掃除面の掃除をするのに好適である。また吸口体２０６は仕舞うときも小さくコンパクトになるので好都合である。
【００２５】
斯かる第２吸込口本体１５１が第１吸込口本体１５０に対して折りた畳んだり、元の延ばした状態に戻したりする回動作動では、異物の噛み込むが生じ難い。すなわち、前述した特許文献１、３のようなスライドにより吸口体を延ばしたり、短く縮めたりするものには、スライドする摺動面に塵埃を含む異物の噛み込み起こりがちである。本発明のような回動作動によるものは、異物の噛み込みが起き難く、吸口体を延ばしたり、短く縮めたりする操作がし易いのである。
【００２６】
第１吸込口本体１５０の内部には、塵埃をかき上げる第１の回転清掃体１０４を収容する第１の回転清掃体室１０６と、第１の回転清掃体１０４を駆動する電動機（図示せず）、第１吸込口本体１５０を持ち上げたときに自動的に回転停止するための安全スイッチ１０７、電動機によって発生された駆動力を第１の回転清掃体１０４の回転軸端部に伝達する伝達機構（図示せず）を備えている。
【００２７】
また、吸口体下ケース１０１の被清掃面と対向する面には、第１の回転清掃体１０４と被清掃面との接触を可能とし、被清掃面上の塵埃を吸引するための吸込開口部１１８を形成している。
【００２８】
折りたたみ可能な第２吸込口本体１５１の内部には、塵埃をかき上げる第２の回転清掃体１０５を収容する第２の回転清掃体室１０７を備えている。また、第１吸込口本体１５０と同様に、第２吸込口本体の下ケース１１１の被清掃面と対向する面には、第２の回転清掃体１０５と被清掃面との接触を可能とし、被清掃面上の塵埃を吸引するための吸込開口部１１９が形成されている。
【００２９】
第１及び第２の回転清掃体１０４，１０５には清掃部材が取り付けられ、清掃部材は、繊維等による刷毛の他、軟質のブレード状を含む掻き部材を用いて構成することができ、刷毛やブレードをそれぞれ単独で、或いは刷毛とブレードとを混在させて構成することができる。
【００３０】
第１及び第２の回転清掃体１０４，１０５を回す電動機が含まれる回転清掃体用駆動手段は、個々の回転清掃体毎に備えるようにすることも可能である。
【００３１】
二つ回転清掃体１０４，１０５は円柱状で回転軸方向に長い。この回転清掃体１０４，１０５は、回転軸方向が第１吸込口本体１５０、第２吸込口本体１５１の長手方向に沿うようにして第１吸込口本体１５０、第２吸込口本体１５１の内部に回転可能に置かれる。円柱状の回転清掃体１０４，１０５は外周に刷毛、ブレードを含む掻き部材を有する。この掻き部材の先端側は、被掃除面との対向面に設けられている吸込開口部１１８、１１９に臨むようなっている。
【００３２】
吸込開口部１１８、１１９は第１吸込口本体１５０、第２吸込口本体１５１の長手方向に沿って延在しているで、掻き部材の先端側は回転清掃体１０４，１０５の全長に亘り吸込開口部１１８、１１９に臨む。このため、吸口体２０６の長手方向に亘る広範囲に及ぶ掻きこみ掃除が行われる。
【００３３】
図３に本発明の一実施例に係る電気掃除機の外観斜視図を示す。
【００３４】
２０１は後部に吸口体２０６が集塵するのに必要な吸気風を発生させる電動送風機（図示せず）を内蔵し、前部には塵埃を集塵する集塵室（図示せず）を内蔵した掃除機本体、２０２は掃除機本体２０１に連通するように接続され、柔軟に可動するように形成されたホース、２０３は前記ホース２０２に連通するように接続されて掃除機本体２０１や吸口体２０６を制御するスイッチ操作部２０４を内蔵し、ホース２０２と延長管２０５と連通する流路（図示せず）を持つ手元操作部である。また、ホース２０２と手元操作部２０３及び延長管２０５には、吸口体２０６に電気を供給する給電線（図示せず）が内蔵されている。
【００３５】
次に本実施例の動作を説明する。
【００３６】
掃除機使用者がハンドルグリップ２０３に設置されたスイッチ操作部２０４を操作すると、操作されたスイッチに従った動作モードで電気掃除機本体２０１内の電動送風機が運転する。電動送風機によって発生した吸引力は、ホース体２０２、延長管２０５を通って吸口体２０６に到達する。それと同時に、ホース体２０２および延長管２０５に設けられた電源線から供給された電源が、回路基板を介して電動機を駆動する。
【００３７】
電動機と伝達機構で連結している第１の回転清掃体１０４が回転することにより、回転清掃体１０４の清掃部材である刷毛やブレードによって被清掃面からごみや塵埃を掻き出して吸い込んでいる。
【００３８】
掃除機使用者がリビングや和室など家具やテレビ等が置いてある掃除対象面が比較的狭い場所を掃除する場合は、図４（ａ）に示すように、第２吸込口本体１５１を第１吸込口本体１５０の後方側に折りたたんで吸口幅を短くして長さＬ１で使用することができる。これにより、吸口本体２０６を小型化できるので、机の足周りや家具との間などの狭い範囲の掃除が容易になり、移動や取り回しも楽にできる。
【００３９】
一方、廊下や広間など掃除対象面に障害物が少なく比較的広い場所を掃除する場合では、図４（ｂ）に示すように、折りたたんでいた第２の吸口体１５１を吸口左右方向に広げて吸口幅を長くしてＬ２で使用することができる。
【００４０】
このとき、第２の回転清掃体室１０７には、第１の回転清掃体室１０６と連通する連通口を設け、第２の回転清掃体室１０７の上面側には、外部空気を流入するための吸気口１０８を形成している。
【００４１】
吸口体２０６が掃除面に置かれると、掃除機本体２０１の電動送風機の吸引により第１の回転清掃体室１０６と第２の回転清掃体室１０７の圧力が吸口本体周辺の圧力より低くなり、第２の回転清掃体室１０７の吸気口１０８より外気が侵入し、第２の回転清掃体１０５を回転させる。第２の回転清掃体１０５によりかき上げられた塵埃は、第２の回転清掃体室１０７から第１の回転清掃体１０４を通過し、吸口中央吸込通路へ搬送することになる。
【００４２】
このように、吸口体２０６の吸口幅が長くなっても、第２の回転清掃体１０５の回転により、吸引力だけでは集塵しにくい、フローリングなど拭き性能やじゅうたん上に絡み付いたごみのかき上げ性能を向上できる。
【００４３】
したがって、通常の掃除作業に比べ、吸口幅がＬ１からＬ２と長くした状態で使用するので、吸口体２０６を前後に移動する操作回数が減るので掃除効率が上がる。これにより、運転時間が短くなり、その分電気代が安くなる。
【００４４】
また、家具の下などの高さ方向で狭い隙間に、長くなった吸口端部を挿入することで、より深く潜り込むことが可能となり、清掃性が向上する。
【００４５】
さらに、吸口本体前後方向幅Ｗ１を維持した状態で左右方向に長くできるので、家具間などの狭い隙間に挿入することで、より奥まで清掃できる。
【００４６】
本実施例では、第２の回転清掃体１０５は掃除機本体の吸引力によって外部空気を取り込んで駆動しているが、電動機駆動でも同様の効果が得られる。例えば、吸口体の端部に位置する軸受部において、第１の回転清掃体１０４の回転軸と第２の回転清掃体１０５の回転軸を連結することにより、吸口体２０６の電動機による駆動力が第２の回転清掃体１０５に伝達され、回転力により塵埃をかき上げることができる。
【００４７】
以上の構成により、掃除場所の広さに応じて、吸口本体の左右方向長さが可変でき、吸口幅を短くすると、吸口本体を小型化できるので、小回りが良く、機動性に優れた作業が行える。
【００４８】
また、吸口幅を長くした場合でも吸口体内に回転清掃体を備えているので、掃除面の拭き効果とかき上げによる集塵性能の効率が向上できる。したがって、軽快操作と高集塵が図れ、しかも省エネルギに優れた電気掃除機を提供することができる。
【００４９】
また、第２吸込口本体１５１には、吸口体上ケース１００の端部付近の上面側に設けた支持部１００ａと第２吸込口本体１５１から張り出した腕部１１３の支持部と１０１ａを回動軸としているので、支持部の摺動部は回動軸周りとなり、小さい面積となる。
【００５０】
したがって、ケース等の隙間等から入り込んだ細かい砂や塵埃が摺動部に堆積しても、軸中心から離れた第２吸込口本体１０５を動作することにより容易に回動することができる。これにより、第２吸込口本体１５１を折りたたんで吸口幅を短くしたり、広げて長くする時の動きを妨げることがない。
【００５１】
本実施例では、吸口体は上下ケースで覆われた第１吸込口本体と、その端部に折りたたみ可能とした第２吸込口本体を有した構成である。これに替え、第１吸込口本体の長手端部に着脱結合手段を用いて第２吸込口本体に着脱結合することも可能である。この着脱結合により吸口本体の吸口幅を可変する構造としても同様の効果が得られる。
【実施例２】
【００５２】
図５に本実施例による吸口体２０６の下面図を示す。
【００５３】
実施例１と同様に、第２吸込口本体２５１を折りたたんで長さを短くしたり、広げて長くすることができる。
【００５４】
折りたたみ可能な第２吸込口本体２５１の内部には、塵埃をかき上げる第２の回転清掃体２５２を備えている。また、第１吸込口本体１５０と同様に、第２吸込口本体の下ケース２１１の被清掃面と対向する面には、第２の回転清掃体２５２を収容する第２の回転清掃体室２５３を設け、被清掃面上の塵埃を吸引するための吸込開口部２１９が形成されている。
【００５５】
第２の回転清掃体２５２は、被清掃面に垂直な清掃部材２５２ａと斜め方向に張り出した清掃部材２５２ｂで構成されている。
【００５６】
第１吸込口本体１５０の端部に位置する軸受部において、第１の回転清掃体１０４の回転軸上にかさ歯車（図示せず）を設け、被清掃面方向に取り付けた第２の回転清掃体２５２のかさ歯車（図示せず）を噛み合わせることにより、回転方向を軸方向から垂直方向に変換している。この回転軸を連結することにより、吸口本体の電動機による駆動力が第２の回転清掃体２５２に伝達され、回転力により塵埃をかき上げることができる。
【００５７】
掃除機使用者が第２吸込口本体２５１を折りたたんで吸口幅の長さを短くした場合は、第２吸込口本体２５１の回転清掃体２５３は駆動せず、第１吸込口本体１５０の回転清掃体１０４だけが動作する。これにより、吸口本体を小型化して作業できるので、小回りが良く、機動性に優れた掃除ができる。
【００５８】
一方、折りたたんでいた第２吸込口本体２５１を吸口左右方向に広げて吸口幅を長くした場合は、第１の回転清掃体１０４の回転により、駆動力が第２の回転清掃体２５２に伝達され、じゅうたん上に絡み付いたごみのかき上げやフローリングなど拭き効果が向上する。かき上げられた塵埃は、第２の回転清掃体室２５３から第１の回転清掃体室１０６を通過し、吸口中央吸込通路へ搬送するので、実施例１同様に広い掃除面の掃除が効率良くできる。
【００５９】
さらに、第２の回転清掃体２５２は、被清掃面に垂直な清掃部材２５２ａと斜め方向外側に張り出した清掃部材２５２ｂで構成されているので、矢印のように回転し、壁際や壁と壁で形成される隅部の塵埃を容易に取り除くことができる。
【００６０】
第２の回転清掃体２５２に関し、説明を加える。
【００６１】
第２の回転清掃体２５２は、円柱状をした第１の回転清掃体１０４とは違い、円盤状をした回転清掃体である。この円盤状の回転清掃体は回転軸心方向を被掃除面に向くようにして第２吸込口本体２５１に備えられる。清掃部材２５２ａ、２５２ｂを含む掻き部材は、被掃除面に向くように円盤状をした回転清掃体の下面に設けられる。掻き部材の先端側は吸込開口部２１９に臨む。
【００６２】
以上の構成により、掃除場所の広さに応じて、吸口体の左右方向が可変できるともに、隅掃除が可能となり、部屋のすみずみまで楽にきれいに仕上げることができる。
【実施例３】
【００６３】
図６に本実施例による吸口体２０６の下面図を示す。
【００６４】
実施例１と同様に、第２吸込口本体３５１を折りたたんで吸口幅の長さを短くしたり、広げて長くすることができる。
【００６５】
折りたたみ可能な第２吸込口本体３５１の内部には、塵埃をかき上げる第２の回転清掃体３５２を備えている。また、第２の回転清掃体３５２は、被清掃面と平行な清掃部材３５２ａと垂直な清掃部材３５２ｂで構成されている。
【００６６】
吸口体の端部に位置する軸受部において、第１の回転清掃体１０４の回転軸と第２の回転清掃体３５２の回転軸を連結することにより、吸口体２０６の電動機による駆動力が第２の回転清掃体３５２に伝達され、回転力により塵埃をかき上げることができる。
【００６７】
掃除機使用者が第２吸込口本体３５１を折りたたんで吸口幅の長さを短くした場合は、第２吸込口本体３５１の回転清掃体３５２は駆動せず、第１吸込口本体１５０の回転清掃体１０４だけが動作する。これにより、吸口本体を小型化して作業できるので、小回りが良く、機動性に優れた掃除ができる。
【００６８】
一方、折りたたんでいた第２吸込口本体３５２を吸口左右方向に広げて吸口幅を長くした場合は、実施例１同様に広い掃除面の掃除が効率良くできる。
【００６９】
また、第２の回転清掃体３５２は、被清掃面と平行な清掃部材３５２ａが矢印のように回転するので、壁や幅木に付着している微細な塵埃を容易に取り除くことができる。
【００７０】
吸込開口部、第２の回転清掃体３５２に関し、説明を加える。
【００７１】
第２吸込口本体３５１は端面側吸込開口部を有する。この端面側吸込開口部は前記被清掃面と直交する壁面等を含む直交壁面との対向面になる第２吸込口本体３５１の部位に設ける。
【００７２】
第２の回転清掃体３５２は、円柱状をした第１の回転清掃体１０４とは違い、円盤状をした回転清掃体である。この円盤状の回転清掃体は回転軸心方向を前記直交壁面に向くようにして第２吸込口本体３５１に備えられる。円盤状の回転清掃体は、前記直交壁面に向く面側に刷毛、ブレードを含む掻き部材を設ける。掻き部材の先端側は端面側吸込開口部に臨む。
【００７３】
以上の構成により、掃除場所の広さに応じて、吸口体の左右方向が可変できるともに、壁際掃除が可能となり、部屋のすみずみまで楽にきれいに仕上げることができる。
【００７４】
このように、実施例２，３に示すように、四隅や壁際等の掃除だけではなく、用途に応じた専用の清掃部材を取り付けることにより、より効果的に掃除を行うことも可能である。
【００７５】
上記実施例で述べたように本発明によれば、掃除場所の広さに応じて、吸口体の長手方向が可変でき、しかも吸口体内に回転清掃体を備えているので、吸口体の長手方向が長くなった場合でも掃除面の拭き効果とかき上げによる集塵性能の効率が向上できる。また、折りたたみ動作により、吸口体の長手方向を可変しているので、塵埃の蓄積などで動作を妨げることがなく、容易に行える。したがって、軽快操作と高集塵が図れ、しかも省エネルギに優れた電気掃除機を提供することができる。
【００７６】
また、第２吸込口本体が前記第１吸込口本体に対して折り畳みや元の延ばした状態への戻しは遠隔操作で行うことも可能である。遠隔操作で行う遠隔操作手段を前記手元操作部に設けることで、折り畳みや元の延ばした状態への戻しがし易くなり、使い勝手が向上する。
【００７７】
本発明は、床移動型の掃除機だけでなく、アップライト式やスティック式の掃除機にも適用できる。モータ駆動方式の吸口だけでなく、エアー駆動方式にも適用できる。
【図面の簡単な説明】
【００７８】
【図１】本発明の実施例１に係る吸口体を上から見た上面図である。
【図２】本発明の実施例１に係る吸口体を下から見た下面図である。
【図３】本発明の実施例１に係る吸口体を用いた電気掃除機の外観斜視図である。
【図４】本発明の実施例１に係る吸口体の動作状態を示す図である。
【図５】本発明の実施例２に係る吸口体を下から見た下面図である。
【図６】本発明の実施例３に係る吸口体を下から見た下面図である。
【符号の説明】
【００７９】
１００…第１吸込口本体の上ケース
１０１…第１吸込口本体の下ケース
１０４…第１の回転清掃体
１０５…第２の回転清掃体
１０６…第１の回転清掃体室
１０７…第２の回転清掃体室
１１０…第２吸込口本体の上ケース
１１１…第２吸込口本体の下ケース
１５０…第１吸込口本体
１５１…第２吸込口本体
２０１…掃除機本体
２０３…手元操作部
２０６…吸口体
【図１】
2010124845.tif 000003
【図２】
2010124845.tif 000004
【図３】
2010124845.tif 000005
【図４】
2010124845.tif 000006
【図５】
2010124845.tif 000007
【図６】
2010124845.tif 000008